(57)【要約】【課題】  螺旋状の細長い吸殻送り体２を有するタバコ吸殻処理装置において、その中間部が自重で垂れ下がらないように支持すると共に、その組立てが容易で信頼性の高いものの提供。【解決手段】  駆動軸４の中間部を中間軸受６で支持すると共に、その両側に多数のエレメント５を挿通する。そしてエレメント５の挿通孔７を正方形に形成すると共に、それに整合して駆動軸４の外周を正方形にする。【選択図】        図１
2008110085.tif 000002
【特許請求の範囲】
【請求項１】
吸殻落下穴が長手方向に互いに離間して並列される細長いテンプレート(1) の下面側に配置され、軸線の廻りに回転駆動される螺旋状の細長い吸殻送り体(2) と、その外周を被嵌する樋状体(3) とを具備する遊技機のタバコ吸殻処理装置において、
前記吸殻送り体(2) は、駆動軸(4)と、その外周に軸線方向から順次直列に嵌着される複数のエレメント(5)と、そのエレメント(5)間に挿入される中間軸受(6)とを有し、
そのエレメント(5)は、軸線上に挿通孔(7) を有する軸部(8) の外周に螺旋翼部(9) が突設され、
前記中間軸受(6)は、前記テンプレート(1) に固定されると共に、前記駆動軸(4) の中間の外周を軸支することを特徴とする遊技機のタバコ吸殻処理装置。
【請求項２】
請求項１において、
前記駆動軸(4)は、断面の外周が非円形であると共に、その少なくとも端部の内周が非円形の筒部を有する二本以上の第１軸(4a)と、少なくとも両端部の外周がその第１軸(4a)の前記筒部の内周に整合する第２軸(4b)とを有し、
前記エレメント(5)の前記挿通孔(7) は、前記第１軸(4a)の外周に整合し、
前記第２軸(4b)の両端部が一対の前記第１軸(4a)の端部に嵌着して、一対の第１軸(4a)どうしを連結すると共に、前記中間軸受(6)がカラー(10)を介してまたは、介さずに第２軸(4b)の中間部を軸支する遊技機のタバコ吸殻処理装置。
【請求項３】
請求項２において、
前記第１軸(4a)および第２軸(4b)の断面外周が正多角形である遊技機のタバコ吸殻処理装置。
【請求項４】
請求項３において、
前記第１軸(4a)および第２軸(4b)の断面が正方形である遊技機のタバコ吸殻処理装置。
【請求項５】
請求項４において、
前記エレメント(5)は、樹脂成形体または金属モールドで構成され、その軸部(8)の外周に周方向に前記螺旋翼部(9) が２７０度分形成された遊技機のタバコ吸殻処理装置。
【発明の詳細な説明】
【技術分野】
【０００１】
本発明は、パチンコ機やスロット機の遊技具の細長いカウンター上に適宜間隔で設置されている灰皿の下方に配置されるタバコ吸殻処理装置に関する。
【背景技術】
【０００２】
パチンコの店内には、多数のパチンコ機やスロット機が壁面やいわゆる島に沿って並列され、その下部に細長いカウンターが存在する。そして各遊技具毎に灰皿が設置されている。その灰皿はカウンターの孔に嵌着し、灰皿の底はスノコ状に形成され吸殻が下方に落下する構造を有し、カウンターの下面にはテンプレートが重ねられ、そのテンプレートにも吸殻落下孔が設けられ、そのテンプレートの下面側にタバコ吸殻処理装置が設けられている。その装置により吸殻がカウンターに沿って搬送される。
このような処理装置には、エンドレスなベルトコンベア型のものと（特許文献２）、螺旋搬送体型のもの（特許文献１）、即ち、螺旋翼が軸部の外周に形成された細長い吸殻送り体を回転駆動するものとが存在する。
【０００３】
後者のものとして、特許文献１に記載の遊技機用タバコの吸殻処理装置が提案されている。この処理装置は、細長いカウンターおよびその下面に隣接したテンプレートに吸殻落下孔が、それぞれ長手方向に互いに離間して並列され、その下面側に回転駆動される螺旋状の細長い吸殻送り体が配置されている。そしてその吸殻送り体の一端が減速機付きモータの出力軸に連結されると共に、他端が端軸受けに軸支されている。そして吸殻送り体の外周に樋状体が被嵌され、吸殻送り体の他端部に吸殻回収ボックスが設けられたものである。
【０００４】
【特許文献１】特開平８−１０４３７号公報
【特許文献２】特公平３−８２３６号公報
【発明の開示】
【発明が解決しようとする課題】
【０００５】
ベルトコンベア型のタバコ吸殻処理装置に比べて、螺旋状の搬送装置の方が構造が簡単でメンテナンス性に優れている特長を有する。しかしながら、従来の螺旋型の搬送体はその端部のみに軸受けを有している。ところが、少なくとも螺旋状搬送体はカウンターの長さ分、長尺であるため、その自重により搬送体の中間部が下方に撓み、その螺旋翼部が樋状体内面に接触しがちである。すると、その接触部に損傷が生じたり、不快な接触音を発生させていた。その撓みを防止するため、より太い軸を使用するとコンパクト性に欠ける欠点があった。とくに、細長いカウンターの下部は狭小スペースであり、そこに吸殻搬送装置を取付ける場合、可能な限りコンパクトにする必要があるので、問題となっていた。
この螺旋状搬送体は断面円形の軸部外周に複数の螺旋翼エレメントを嵌着し、両者間をピンによって回り止めしていた。ところが現場の取付工事において、取付業者は、しばしば軸とエレメントとを止めるピン止め作業のし忘れを起こし、故障の原因となっていた。それと共に、多数のピンの挿通作業が面倒である欠点があった。
【０００６】
そこで本発明は、これらの従来の螺旋状搬送体のタバコ吸殻処理装置の欠点を取り除くことを課題とする。
【課題を解決するための手段】
【０００７】
請求項１に記載の本発明は、吸殻落下穴が長手方向に互いに離間して並列される細長いテンプレート(1) の下面側に配置され、軸線の廻りに回転駆動される螺旋状の細長い吸殻送り体(2) と、その外周を被嵌する樋状体(3) とを具備する遊技機のタバコ吸殻処理装置において、
前記吸殻送り体(2) は、駆動軸(4)と、その外周に軸線方向から順次直列に嵌着される複数のエレメント(5)と、そのエレメント(5)間に挿入される中間軸受(6)とを有し、
そのエレメント(5)は、軸線上に挿通孔(7) を有する軸部(8) の外周に螺旋翼部(9) が突設され、
前記中間軸受(6)は、前記テンプレート(1) に固定されると共に、前記駆動軸(4) の中間の外周を軸支することを特徴とする遊技機のタバコ吸殻処理装置である。
【０００８】
請求項２に記載の本発明は、請求項１において、
前記駆動軸(4)は、断面の外周が非円形であると共に、その少なくとも端部の内周が非円形の筒部を有する二本以上の第１軸(4a)と、少なくとも両端部の外周がその第１軸(4a)の前記筒部の内周に整合する第２軸(4b)とを有し、
前記エレメント(5)の前記挿通孔(7) は、前記第１軸(4a)の外周に整合し、
前記第２軸(4b)の両端部が一対の前記第１軸(4a)の端部に嵌着して、一対の第１軸(4a)どうしを連結すると共に、前記中間軸受(6)がカラー(10)を介してまたは介さずに第２軸(4b)の中間部を軸支する遊技機のタバコ吸殻処理装置である。
【０００９】
請求項３に記載の本発明は、請求項２において、
前記第１軸(4a)および第２軸(4b)の断面外周が正多角形である遊技機のタバコ吸殻処理装置である。
請求項４に記載の本発明は、請求項３において、
前記第１軸(4a)および第２軸(4b)の断面が正方形である遊技機のタバコ吸殻処理装置である。
請求項５に記載の本発明は、請求項４において、
前記エレメント(5)は、樹脂成形体または金属モールドで構成され、その軸部(8)の外周に周方向に前記螺旋翼部(9) が２７０度分形成された遊技機のタバコ吸殻処理装置である。
【発明の効果】
【００１０】
本発明の遊技機のタバコ吸殻処理装置は、テンプレート１に固定された中間軸受６が駆動軸４の中間の外周を軸支するように構成したから、吸殻送り体２の中間部がその自重により垂れ下がることを防止できる。それにより、従来問題となっていた吸殻送り体２と樋状体３とが接触してその接触部を損傷したり不快な接触音を発生させることを防止し、安全で耐久性の高いタバコ吸殻処理装置を提供できる。
しかも本装置は、複数のエレメント５が駆動軸４にその軸方向から順次直列に嵌着され、そのエレメント間に中間軸受６が挿入されるものであるから、適宜長さ毎に駆動軸４を軸支することができる。そしてこの中間軸受６の存在により、駆動軸４および吸殻送り体２の直径を小さくして、タバコ吸殻処理装置をコンパクトにすることができる。それにより、テンプレート１の下面側の下方への突出を可及的小さくできる。
【００１１】
上記構成において、駆動軸４を複数本の第１軸4aと第２軸4bとで形成し、第１軸4aの内外周を非円形とすると共に、第２軸4bの両端部を第１軸4aに嵌着し、一対の第１軸4aの端部間を連結すると共に、その第２軸4bにカラー10を介し、またはそれを介さずに中間軸受６で軸支することができる。この場合には、その組立てが容易であると共に、駆動軸４とエレメント５とがピンを要することなく回り止めされ、装置の取付工事が簡略化される。
次に、第１軸4aおよび第２軸4bの断面外周を正多角形とすることができる。この場合には、駆動軸４のバランスが良いと共に、エレメント５等の組立てが容易である。
【００１２】
上記構成において、第１軸4aおよび第２軸4bの断面を正方形とすることができる。この場合には、構造が単純で駆動軸４を安価に提供できる。それにより、装置全体のコストを低下させ得る。
上記構成において、吸殻送り体２を樹脂成形体または金属モールドで構成し、その軸部８の外周に螺旋翼部９を２７０度分形成することができる。この場合には、成形金型を単純化しエレメント５を安価に提供できる。そして多数のエレメント５を駆動軸４に装着することにより、所望の長さのタバコ吸殻処理装置を容易に組み立てることができる。
【発明を実施するための最良の形態】
【００１３】
次に、図面に基づいて本発明の実施の形態につき説明する。
図１は本発明のタバコ吸殻処理装置の要部分解斜視図であり、図２は同装置に用いられるエレメント５の正面図、図３は同側面図であり、図４は同装置の組立て状態を示す要部正面図、図５は同装置の全体を示す一部破断正面略図である。
このタバコ吸殻処理装置は、図示しない細長いカウンターの下面に隣接し、図５の如くテンプレート１が配置され、そのテンプレート１の下面側に細長い螺旋状の吸殻送り体２と樋状体３とが配置されている。テンプレート１の上方には多数の遊技機19が並列され、各遊技機19毎に図示しないカウンターおよびテンプレート１に吸殻落下穴26が形成されている。
【００１４】
カウンターの吸殻落下孔には、図示しない灰皿が設置されると共に、その底部がスノコ状に形成され、灰皿の上面には図示しない開閉自在な蓋が設けられている。なお、カウンターはテンプレートと一体のものであってもよい。
吸殻送り体２の中間部の一以上、好ましくは多数の位置が、中間軸受６によって軸支されると共に、吸殻送り体２の一端が端軸受11で軸支され、他端が継手18を介してモータ12の出力軸に連結されている。そしてモータ12は、ブラケット28を介しテンプレート１に固定されている。なお、複数の中間軸受６のフランジ部14は夫々テンプレート１の下面に固定されている。同様に端軸受11もそのフランジ部でテンプレート１に固定されている。
【００１５】
吸殻送り体２の一端（または他端）にはケーシング15が設置され、そのケーシング15に吸殻回収ボックス16が挿脱自在に挿入されている。
そして、吸殻落下穴26から落下した吸殻は吸殻送り体２によって、図５の場合には、右方から左方に搬送され吸殻回収ボックス16内に落下する。吸殻回収ボックス16内には、図示しない水タンクが設けられ吸殻を消火する。そして吸殻回収ボックス16を適宜引き出し、内部の吸殻を排出するものである。
【００１６】
ここにおいて本発明の特徴とするところは、吸殻送り体２を構成する多数のエレメント５と、多数の駆動軸４および複数の中間軸受６の存在である。エレメント５は耐熱性樹脂の射出成形体からなり、軸部８の外周にエレメント５が一体に形成されている。エレメント５は軸部８の外周に２７０度の範囲で形成されている。さらに軸部８には、ピン孔21が予め形成されている。このようなエレメント５は、軸部８の軸線方向に型開きする射出成形用金型を用いることにより、容易に成形できる。なお、ピン孔21は公知の各種方法により射出成形と同時に形成される。
そのエレメント5の軸部８には正方形の挿通孔７が軸線上に形成され、その各内面は螺旋翼部９の互いに直交する縁9aの何れか一方にそれぞれ平行に形成されている。
【００１７】
次に、駆動軸４は第１軸4aと第２軸4bとからなり、第１軸4aの長さはエレメント５の軸部８の長さの整数倍の筒状であり、第２軸4bの長さはエレメント５の長さに比べて充分短い。第１軸4aの外周はエレメント５の挿通孔７に整合し、その内周は第２軸4bの外周に整合する。
次に、第２軸4bにはその外周に整合する方形孔23を有するワッシャ20とカラー10とが挿通される。カラー10の外周は、中間軸受６の軸孔6aに整合する。その中間軸受６は、上端にフランジ部14を有し、フランジ部14の両端にはボルト挿通孔13が形成されている。この中間軸受６も耐熱性樹脂材の射出成形体からなる。そしてその軸孔6aは、金属製のインサートカラー24の嵌着体からなる。
【００１８】
（吸殻送り体２の組立て手順）
次に、吸殻送り体２の組立て手順につき述べる。一例として、第１軸4aの長さはエレメント５の軸部８の長さの整数倍とすることができ、第２軸4bはエレメント５の軸部８の長さの以下とすることができる。そこで先ず、各第１軸4aにその軸線方向から複数のエレメント５を嵌着する。このとき夫々のエレメント５の継目は、互いに螺旋翼部９が連続するように順次９０度づつ軸線回りにずらしながら挿入する。次いで、第２軸4bにカラー10の方形孔23を挿通すると共に、中間軸受６の軸孔6aをその外周に挿通し、カラー10の両側にワッシャ20が位置するように、それらを挿通する。そして第２軸4bの両端部を各第１軸4aの端部に挿入し、第１軸4aにピン孔21をドリル等により穿設し、そこに一例として割りピンからなるピン22を挿通係止させる。ピン22の代わりに細いリベット状のもの等を使用することも可能である。さらには、接着によりそれらの間を固定してもよい。
【００１９】
なお、中間軸受６は吸殻送り体２の適宜間隔毎に行えば良く、それ以外の部分では中間軸受６およびカラー10，ワッシャ20を用いることなく第２軸4bのみを使用し、一対の第１軸4aどうしを接続すればよい。そして図５において、吸殻送り体２の左端には第２軸4bを挿通すると共に、それにワッシャ20およびカラー10を嵌着する。そしてそのカラー10を介し、吸殻送り体２の左端を端軸受11によって支持する。また、吸殻送り体２の右端は、その方形孔に整合する軸を有する継手18の軸部を挿入する。そしてモータ12の出力軸に取付けた継手18と、吸殻送り体２の継手18との間を接続する。
【００２０】
次いで、吸殻送り体２の外周に樋状体３を着脱自在に被嵌する。その樋状体３の内周面は、各エレメント５の螺旋翼部９に近接する。
なお、中間軸受６は好ましくは図６，図７に示す如く、そのフランジ部14に円弧状の欠切部25を設けたものを使用する。この欠切部25は、中間軸受６の軸孔6aの中心からの半径に等しい。このようにフランジ部14に欠切部25を設けることにより、エレメント５の最下位置をより上方にして本装置の下側突出量を小さくし得る。
【００２１】
このように組み立てられたタバコ吸殻処理装置は、夫々の中間軸受６においてその幅分のみエレメント５の存在しない部分がある。中間軸受６の厚みは一例として、５〜１０mm程度とすることができる。するとその幅分だけ、吸殻が中間軸受６の下方に滞留する。しかしながら、次々と送られてくる吸殻によって、図５において中間軸受６の下部の吸殻は上流側の吸殻に押されて左方に移動するので問題は生じない。なお、吸殻送り体２の中間軸受６の両側は、図４に示す如く、その両側に位置するエレメント５の縁9aどうしが互いに９０度離間するように夫々を第１軸4aに挿通する。それにより、吸殻が一対の対向するエレメント５の両縁9a間に挟持されることを防止できる。
【００２２】
（変形例）
上記の例では、駆動軸４の第１軸4aおよび第２軸4b並びにエレメント５の挿通孔７,カラー10およびワッシャ20の方形孔23が夫々正方形に形成されていたが、本発明はそれに限ることなく、それらを他の正多角形としても或いは非円形としてもよい。
また、第１軸4aはその全長に渡り筒状に形成したがそれに限ることなく、その両端部のみを筒状にしてもよい。さらに第２軸4bは、全長に渡りその断面が方形に形成されたが、その中間位置を段付きの円形に形成し、その外形をカラー10と同一とすることもできる。この場合には、新たなカラー10は不要となる。
【００２３】
また、エレメント５は好ましくは耐熱性の樹脂材で形成するが、それに変えてアルミニュームのダイキャスト或いは他の金属のモールドとすることもできる。同様に中間軸受６もアルミニューム材等を使用することもできる。
【図面の簡単な説明】
【００２４】
【図１】本発明のタバコ吸殻処理装置の要部分解斜視図。
【図２】同装置に用いられるエレメント５の正面図。
【図３】同側面図。
【図４】同装置の組立て状態を示す要部正面図。
【００２５】
【図５】同装置の全体を示す一部破断正面図。
【図６】同装置に用いられる中間軸受６の他の例を示す側面図。
【図７】同装置に用いられる中間軸受６の軸線状の横断面図。
【符号の説明】
【００２６】
１  テンプレート
２  吸殻送り体
３  樋状体
４  駆動軸
4a  第１軸
4b  第２軸
５  エレメント
【００２７】
６  中間軸受
6a  軸孔
７  挿通孔
８  軸部
９  螺旋翼部
9a  縁
10  カラー
11  端軸受
12  モータ
【００２８】
13  ボルト挿通孔
14  フランジ部
15  ケーシング
16  吸殻回収ボックス
17  取手
18  継手
19  遊技機
20  ワッシャ
21  ピン孔
【００２９】
22  ピン
23  方形孔
24  インサートカラー
25  欠切部
26  吸殻落下穴
27  床
28  ブラケット
29  継目
30  モータカバー
【図１】
2008110085.tif 000003
【図２】
2008110085.tif 000004
【図３】
2008110085.tif 000005
【図４】
2008110085.tif 000006
【図５】
2008110085.tif 000007
【図６】
2008110085.tif 000008
【図７】
2008110085.tif 000009